(57)【要約】【課題】本発明は複数の人に使われる手持ちファンを開示した。【解決手段】ファン外殻を含み、前記ファン外殻の中には傘歯車溝が設けられ、前記傘歯車溝の上端には外部と連通するエア入り口が設けられ、前記エア入り口の中にはエア入り装置が設けられ、前記エア入り装置はエア入りファンを含み、前記エア入り装置はエア入り口に空気を吸い込むことができ、前記エア入り装置の中には動力機構が設けられ、前記傘歯車溝の左右両端には通風溝が対称的に設けられ、前記通風溝の中には冷却装置が設けられ、前記冷却装置は排気ファンを含み、前記冷却装置が送風して人々の温度を下げ、前記冷却装置が回転機構を含み、前記通風溝の上端壁には凹ブロックスライド溝が設けられ、前記凹ブロックスライド溝の上端壁には外部と連通する頂部溝が設けられる。【選択図】図１
2020176618.tif 000002
【特許請求の範囲】
【請求項１】
ファン外殻を含み、前記ファン外殻の中には傘歯車溝が設けられ、前記傘歯車溝の上端には外部と連通するエア入り口が設けられ、前記エア入り口の中にはエア入り装置が設けられ、前記エア入り装置はエア入りファンを含み、前記エア入り装置はエア入り口に空気を吸い込むことができ、前記エア入り装置の中には動力機構が設けられ、前記傘歯車溝の左右両端には通風溝が対称的に設けられ、前記通風溝の中には冷却装置が設けられ、前記冷却装置は排気ファンを含み、前記冷却装置が送風して人々の温度を下げ、前記冷却装置が回転機構を含み、前記通風溝の上端壁には凹ブロックスライド溝が設けられ、前記凹ブロックスライド溝の上端壁には外部と連通する頂部溝が設けられ、前記頂部溝において前記エア入り口に近接する端壁には抜き穴が設けられ、前記抜き穴においてエア入り口に近接する端壁には作業チャンバが設けられ、前記作業チャンバの下端にはスイッチ溝が設けられ、前記スイッチ溝の左右の両端がそれぞれ前記エア入り口と前記通風溝と相通し、前記ファン外殻の下端には接続ブロックが設けられ、前記接続ブロックの中には動力チャンバが設けられ、前記接続ブロックの下端にはハンドルが回転できるように係合接続され、前記ハンドルの中には駆動溝が設けられ、前記駆動溝の下端壁には底溝が設けられ、前記駆動溝の右端壁には回し溝が設けられ、前記駆動溝の中には連動装置が設けられ、前記連動装置はＴ字型ロッドを含み、前記連動装置は前記接続ブロックを回転連動させることができ、前記連動装置の中には回し機構が設けられることを特徴とする複数の人に使われる手持ちファン。
【請求項２】
前記エア入り装置の中の前記動力機構はモータ軸を含み、前記モータ軸が前記エア入り口の下端壁と、前記傘歯車溝の上下端壁と、前記接続ブロックの上端面とが回転できるように係合接続され、前記モータ軸の上端は前記エア入りファンと固定的に接続され、前記モータ軸の中端にはモータ傘歯車が設けられ、前記動力チャンバの上端壁にはモータが設けられ、前記モータは前記モータ軸と伝動できるように接続され、前記モータの下端には貫通軸が伝動できるように接続され、前記貫通軸が前記動力チャンバの下端壁と回転できるように係合接続され、前記モータを動かして前記エア入りファンを回転連動させ、それによりエア入り口に空気を吸い込むことを特徴とする請求項１に記載の複数の人に使われる手持ちファン。
【請求項３】
前記冷却装置において前記回転機構が二つ設けられ、左側を例として説明し、前記回転機構は横軸を含み、前記横軸が前記傘歯車溝の左端壁および前記通風溝の右端壁と回転できるように係合接続され、前記横軸の右端には前記モータ傘歯車と噛み合う横軸傘歯車が設けられ、前記横軸の左端には接続ロッドが設けられ、前記接続ロッドが前記通風溝の上下端壁とスライドできるように係合接続され、前記凹ブロックスライド溝の中には凹ブロックがスライドできるように係合接続され、前記凹ブロックは前記接続ロッドと固定的に接続され、前記凹ブロックと前記凹ブロックスライド溝の右端壁との間には凹ブロックバネが接続され、前記凹ブロックの上端面には凹溝が設けられ、前記凹溝の中には触発ブロックがスライドできるように係合接続され、前記触発ブロックの下端と前記凹溝の下端壁との間には触発バネが接続され、前記触発ブロックの上端にはボタンが設けられ、前記触発ブロックの中端にはボタンカバーがスライドできるように係合接続され、前記ボタンカバーが前記頂部溝の前後端壁とスライドできるように係合接続され、前記ボタンカバーの右端面にはラックが設けられ、前記ラックが前記抜き穴とスライドできるように係合接続され、前記作業チャンバの上下端壁には垂直軸が回転できるように係合接続され、前記垂直軸の上端にはラックと噛み合える上歯車が設けられ、前記垂直軸の中端には下歯車が設けられ、前記垂直軸は下方に延びていて前記スイッチ溝に挿入されて前記スイッチ溝の上下端壁と回転できるように係合接続され、前記作業チャンバの下端壁には従動軸が前後に対称的に回転できるように係合接続され、前記従動軸の上端には前記下歯車と噛み合う従動歯車が設けられ、前記従動歯車が下方に伸びていて前記スイッチ溝に挿入されて前記スイッチ溝の上下端壁と回転できるように係合接続され、前記従動軸と前記垂直軸の下端にはバリア板が設けられ、前記バリア板は前記スイッチ溝を閉じることができ、前記ボタンを右に移動させ、それにより前記ラックを連動させて右に移動させ、前記従動軸と前記バリア板を回転させ、前記スイッチ溝を開けることを特徴とする請求項１に記載の複数の人に使われる手持ちファン。
【請求項４】
前記連動装置の中の前記回し機構は引掛りブロックを含み、前記引掛りブロックが前記貫通軸と固定的に接続され、前記引掛りブロックの下端には引掛り溝が設けられ、前記引掛り溝が前記Ｔ字型ロッドとスライドできるように係合接続され、前記Ｔ字型ロッドの下端が前記底溝とスライドできるように係合接続され、前記Ｔ字型ロッドの右端が前記回し溝とスライドできるように係合接続され、前記駆動溝を押し上げて前記引掛り溝に挿入することを特徴とする請求項１に記載の複数の人に使われる手持ちファン。
【発明の詳細な説明】
【技術分野】
【０００１】
本発明は小型家電分野を取り上げて、具体的には複数の人に使われる手持ちファンである。
【背景技術】
【０００２】
現在、暑い夏の日に出かけるとき、人々はしばしば自分自身の温度を下げる事ために小さなファンを携帯する必要があり、だだし、伝統的な小型ファンは左右首振りができず、一人しか使えなく、友達が一緒に外出するときは、みんなファンを必要とし、その結果、使用することは非常に不便であり、そして資源の浪費を引き起こしやすい。
【先行技術文献】
【特許文献】
【０００３】
【特許文献１】中国特許出願公開第１０２７３４１９１号明細書
【発明の概要】
【発明が解決しようとする課題】
【０００４】
本発明は複数の人に使われる手持ちファンを提供し、従来技術における上記欠点を解消することを目的とする。
【課題を解決するための手段】
【０００５】
本発明の複数の人に使われる手持ちファンは、ファン外殻を含み、前記ファン外殻の中には傘歯車溝が設けられ、前記傘歯車溝の上端には外部と連通するエア入り口が設けられ、前記エア入り口の中にはエア入り装置が設けられ、前記エア入り装置はエア入りファンを含み、前記エア入り装置はエア入り口に空気を吸い込むことができ、前記エア入り装置の中には動力機構が設けられ、前記傘歯車溝の左右両端には通風溝が対称的に設けられ、前記通風溝の中には冷却装置が設けられ、前記冷却装置は排気ファンを含み、前記冷却装置が送風して人々の温度を下げ、前記冷却装置が回転機構を含み、前記通風溝の上端壁には凹ブロックスライド溝が設けられ、前記凹ブロックスライド溝の上端壁には外部と連通する頂部溝が設けられ、前記頂部溝において前記エア入り口に近接する端壁には抜き穴が設けられ、前記抜き穴においてエア入り口に近接する端壁には作業チャンバが設けられ、前記作業チャンバの下端にはスイッチ溝が設けられ、前記スイッチ溝の左右の両端がそれぞれ前記エア入り口と前記通風溝と相通し、前記ファン外殻の下端には接続ブロックが設けられ、前記接続ブロックの中には動力チャンバが設けられ、前記接続ブロックの下端にはハンドルが回転できるように係合接続され、前記ハンドルの中には駆動溝が設けられ、前記駆動溝の下端壁には底溝が設けられ、前記駆動溝の右端壁には回し溝が設けられ、前記駆動溝の中には連動装置が設けられ、前記連動装置はＴ字型ロッドを含み、前記連動装置は前記接続ブロックを回転連動させることができ、前記連動装置の中には回し機構が設けられる。
【０００６】
好ましくは、前記エア入り装置の中の前記動力機構はモータ軸を含み、前記モータ軸が前記エア入り口の下端壁と、前記傘歯車溝の上下端壁と、前記接続ブロックの上端面とが回転できるように係合接続され、前記モータ軸の上端は前記エア入りファンと固定的に接続され、前記モータ軸の中端にはモータ傘歯車が設けられ、前記動力チャンバの上端壁にはモータが設けられ、前記モータは前記モータ軸と伝動できるように接続され、前記モータの下端には貫通軸が伝動できるように接続され、前記貫通軸が前記動力チャンバの下端壁と回転できるように係合接続され、前記モータを動かして前記エア入りファンを回転連動させ、それによりエア入り口に空気を吸い込む。
【０００７】
好ましくは、前記冷却装置において前記回転機構が二つ設けられ、左側を例として説明し、前記回転機構は横軸を含み、前記横軸が前記傘歯車溝の左端壁および前記通風溝の右端壁と回転できるように係合接続され、前記横軸の右端には前記モータ傘歯車と噛み合う横軸傘歯車が設けられ、前記横軸の左端には接続ロッドが設けられ、前記接続ロッドが前記通風溝の上下端壁とスライドできるように係合接続され、前記凹ブロックスライド溝の中には凹ブロックがスライドできるように係合接続され、前記凹ブロックは前記接続ロッドと固定的に接続され、前記凹ブロックと前記凹ブロックスライド溝の右端壁との間には凹ブロックバネが接続され、前記凹ブロックの上端面には凹溝が設けられ、前記凹溝の中には触発ブロックがスライドできるように係合接続され、前記触発ブロックの下端と前記凹溝の下端壁との間には触発バネが接続され、前記触発ブロックの上端にはボタンが設けられ、前記触発ブロックの中端にはボタンカバーがスライドできるように係合接続され、前記ボタンカバーが前記頂部溝の前後端壁とスライドできるように係合接続され、前記ボタンカバーの右端面にはラックが設けられ、前記ラックが前記抜き穴とスライドできるように係合接続され、前記作業チャンバの上下端壁には垂直軸が回転できるように係合接続され、前記垂直軸の上端にはラックと噛み合える上歯車が設けられ、前記垂直軸の中端には下歯車が設けられ、前記垂直軸は下方に延びていて前記スイッチ溝に挿入されて前記スイッチ溝の上下端壁と回転できるように係合接続され、前記作業チャンバの下端壁には従動軸が前後に対称的に回転できるように係合接続され、前記従動軸の上端には前記下歯車と噛み合う従動歯車が設けられ、前記従動歯車が下方に伸びていて前記スイッチ溝に挿入されて前記スイッチ溝の上下端壁と回転できるように係合接続され、前記従動軸と前記垂直軸の下端にはバリア板が設けられ、前記バリア板は前記スイッチ溝を閉じることができ、前記ボタンを右に移動させ、それにより前記ラックを連動させて右に移動させ、前記従動軸と前記バリア板を回転させ、前記スイッチ溝を開ける。
【０００８】
好ましくは、前記連動装置の中の前記回し機構は引掛りブロックを含み、前記引掛りブロックが前記貫通軸と固定的に接続され、前記引掛りブロックの下端には引掛り溝が設けられ、前記引掛り溝が前記Ｔ字型ロッドとスライドできるように係合接続され、前記Ｔ字型ロッドの下端が前記底溝とスライドできるように係合接続され、前記Ｔ字型ロッドの右端が前記回し溝とスライドできるように係合接続され、前記駆動溝を押し上げて前記引掛り溝に挿入する。
【発明の効果】
【０００９】
本発明の有益な効果は：本発明は、伝統的な手持ち式の小型ファンが一人でしか使用できないという欠点を克服し、二つのファンの回転と装置全体の回転により、多くの人が同時に冷たい風を楽しめるようにし、同時に、本発明は風を吸い込むことができ、風力も増加し、本発明が機械の伝動協力により、エラーの可能性を減少する。
【図面の簡単な説明】
【００１０】
便利しやすいために、本発明は以下の具体的な実施例及び付図により詳しく説明する。
【００１１】
【図１】図１は本発明の複数の人に使われる手持ちファンの正面構成模式図
【図２】図２は図１の「Ａ」の局部拡大構成模式図
【図３】図３は図１の「Ｂ−Ｂ」の断面模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書（任意の追加の請求項、要約および図面を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１〜３を合わせて本発明について詳しく説明します。説明を便利にさせるように、ここで下記の方位に規定します：下記の上下左右前後という方向は図１の自身の投影関係の上下左右前後の方向と一致します。
【００１５】
図１〜３を参照し、本発明の実施例：複数の人に使われる手持ちファンは、ファン外殻１００を含み、前記ファン外殻１００の中には傘歯車溝２６が設けられ、前記傘歯車溝２６の上端には外部と連通するエア入り口２２が設けられ、前記エア入り口２２の中にはエア入り装置１０１が設けられ、前記エア入り装置１０１はエア入りファン２１を含み、前記エア入り装置１０１はエア入り口２２に空気を吸い込むことができ、前記エア入り装置１０１の中には動力機構１０２が設けられ、前記傘歯車溝２６の左右両端には通風溝５９が対称的に設けられ、前記通風溝５９の中には冷却装置１０３が設けられ、前記冷却装置１０３は排気ファン２３を含み、前記冷却装置１０３が送風して人々の温度を下げ、前記冷却装置１０３が回転機構１０４を含み、前記通風溝５９の上端壁には凹ブロックスライド溝５１が設けられ、前記凹ブロックスライド溝５１の上端壁には外部と連通する頂部溝６０が設けられ、前記頂部溝６０において前記エア入り口２２に近接する端壁には抜き穴４８が設けられ、前記抜き穴４８においてエア入り口２２に近接する端壁には作業チャンバ５３が設けられ、前記作業チャンバ５３の下端にはスイッチ溝５５が設けられ、前記スイッチ溝５５の左右の両端がそれぞれ前記エア入り口２２と前記通風溝５９と相通し、前記ファン外殻１００の下端には接続ブロック２８が設けられ、前記接続ブロック２８の中には動力チャンバ２９が設けられ、前記接続ブロック２８の下端にはハンドル３４が回転できるように係合接続され、前記ハンドル３４の中には駆動溝３２が設けられ、前記駆動溝３２の下端壁には底溝３５が設けられ、前記駆動溝３２の右端壁には回し溝３２が設けられ、前記駆動溝３２の中には連動装置１０６が設けられ、前記連動装置１０６はＴ字型ロッド３３を含み、前記連動装置１０６は前記接続ブロック２８を回転連動させることができ、前記連動装置１０６の中には回し機構１０５が設けられる。
【００１６】
前記エア入り装置１０１の中の前記動力機構１０２はモータ軸２７を含み、前記モータ軸２７が前記エア入り口２２の下端壁と、前記傘歯車溝２６の上下端壁と、前記接続ブロック２８の上端面とが回転できるように係合接続され、前記モータ軸２７の上端は前記エア入りファン２１と固定的に接続され、前記モータ軸２７の中端にはモータ傘歯車４０が設けられ、前記動力チャンバ２９の上端壁にはモータ３０が設けられ、前記モータ３０は前記モータ軸２７と伝動できるように接続され、前記モータ３０の下端には貫通軸３８が伝動できるように接続され、前記貫通軸３８が前記動力チャンバ２９の下端壁と回転できるように係合接続され、前記モータ３０を動かして前記エア入りファン２１を回転連動させ、それによりエア入り口２２に空気を吸い込む。
【００１７】
前記冷却装置１０３において前記回転機構１０４が二つ設けられ、左側を例として説明し、前記回転機構１０４は横軸２５を含み、前記横軸２５が前記傘歯車溝２６の左端壁および前記通風溝５９の右端壁と回転できるように係合接続され、前記横軸２５の右端には前記モータ傘歯車４０と噛み合う横軸傘歯車３９が設けられ、前記横軸２５の左端には接続ロッド２４が設けられ、前記接続ロッド２４が前記通風溝５９の上下端壁とスライドできるように係合接続され、前記凹ブロックスライド溝５１の中には凹ブロック４１がスライドできるように係合接続され、前記凹ブロック４１は前記接続ロッド２４と固定的に接続され、前記凹ブロック４１と前記凹ブロックスライド溝５１の右端壁との間には凹ブロックバネ５２が接続され、前記凹ブロック４１の上端面には凹溝４２が設けられ、前記凹溝４２の中には触発ブロック４３がスライドできるように係合接続され、前記触発ブロック４３の下端と前記凹溝４２の下端壁との間には触発バネ４４が接続され、前記触発ブロック４３の上端にはボタン４５が設けられ、前記触発ブロック４３の中端にはボタンカバー４６がスライドできるように係合接続され、前記ボタンカバー４６が前記頂部溝６０の前後端壁とスライドできるように係合接続され、前記ボタンカバー４６の右端面にはラック４７が設けられ、前記ラック４７が前記抜き穴４８とスライドできるように係合接続され、前記作業チャンバ５３の上下端壁には垂直軸４９が回転できるように係合接続され、前記垂直軸４９の上端にはラック４７と噛み合える上歯車５０が設けられ、前記垂直軸４９の中端には下歯車５４が設けられ、前記垂直軸４９は下方に延びていて前記スイッチ溝５５に挿入されて前記スイッチ溝５５の上下端壁と回転できるように係合接続され、前記作業チャンバ５３の下端壁には従動軸５７が前後に対称的に回転できるように係合接続され、前記従動軸５７の上端には前記下歯車５４と噛み合う従動歯車５６が設けられ、前記従動歯車５６が下方に伸びていて前記スイッチ溝５５に挿入されて前記スイッチ溝５５の上下端壁と回転できるように係合接続され、前記従動軸５７と前記垂直軸４９の下端にはバリア板５８が設けられ、前記バリア板５８は前記スイッチ溝５５を閉じることができ、前記ボタン４５を右に移動させ、それにより前記ラック４７を連動させて右に移動させ、前記従動軸５７と前記バリア板５８を回転させ、前記スイッチ溝５５を開ける。
【００１８】
前記連動装置１０６の中の前記回し機構１０５は引掛りブロック３７を含み、前記引掛りブロック３７が前記貫通軸３８と固定的に接続され、前記引掛りブロック３７の下端には引掛り溝３６が設けられ、前記引掛り溝３６が前記Ｔ字型ロッド３３とスライドできるように係合接続され、前記Ｔ字型ロッド３３の下端が前記底溝３５とスライドできるように係合接続され、前記Ｔ字型ロッド３３の右端が前記回し溝３１とスライドできるように係合接続され、前記駆動溝３２を押し上げて前記引掛り溝３６に挿入する。
【００１９】
使用する時、一人で使用する場合、一端のボタン４５を右に移動させ、それにより前記凹ブロック４１、触発ブロック４３、接続ロッド２４、ボタンカバー４６およびラック４７を連動させて右に移動させ、最も右端に移動すると、触発ブロック４３の左端は頂部溝６０に引っかかり、ラック４７は上歯車５０、垂直軸４９、下歯車５４、従動歯車５６、従動軸５７およびバリア板５８を回転連動させ、スイッチ溝５５を開け、このときモータ傘歯車４０は横軸傘歯車３９と噛み合ってモータ３０を動かしてモータ軸２７、モータ傘歯車４０およびエア入りファン２１を回転連動させ、それによりエア入り口２２に空気を吸い込み、モータ傘歯車４０は横軸傘歯車３９、横軸２５および排気ファン２３を回転連動させ、風を送る；何人かが一緒に使用する場合、反対側のボタン４５を右に移動させ、二つの回転機構１０４を開け、駆動溝３２を押し上げて前記引掛り溝３６に挿入してモータ３０を動かし、ハンドル３４を握り、二つの冷却装置１０３が同時に作動し、接続ブロック２８およびファン外殻１００はハンドル３４を中心に回転し、ファン装置をオフにする必要があるとき、ボタン４５を押すと、触発ブロック４３が頂部溝６０から離脱する。
【００２０】
本発明の有益な効果は：本発明は、伝統的な手持ち式の小型ファンが一人でしか使用できないという欠点を克服し、二つのファンの回転と装置全体の回転により、多くの人が同時に冷たい風を楽しめるようにし、同時に、本発明は風を吸い込むことができ、風力も増加し、本発明が機械の伝動協力により、エラーの可能性を減少する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176618.tif 000003
【図２】
2020176618.tif 000004
【図３】
2020176618.tif 000005
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
ファン外殻を含み、前記ファン外殻の中には傘歯車溝が設けられ、前記傘歯車溝の上端には外部と連通するエア入り口が設けられ、前記エア入り口の中にはエア入り装置が設けられ、前記エア入り装置はエア入りファンを含み、前記エア入り装置はエア入り口に空気を吸い込むことができ、前記エア入り装置の中には動力機構が設けられ、前記傘歯車溝の左右両端には通風溝が対称的に設けられ、前記通風溝の中には冷却装置が設けられ、前記冷却装置は排気ファンを含み、前記冷却装置が送風して人々の温度を下げ、前記冷却装置が回転機構を含み、前記通風溝の上端壁には凹ブロックスライド溝が設けられ、前記凹ブロックスライド溝の上端壁には外部と連通する頂部溝が設けられ、前記頂部溝において前記エア入り口に近接する端壁には抜き穴が設けられ、前記抜き穴においてエア入り口に近接する端壁には作業チャンバが設けられ、前記作業チャンバの下端にはスイッチ溝が設けられ、前記スイッチ溝の左右の両端がそれぞれ前記エア入り口と前記通風溝と相通し、前記ファン外殻の下端には接続ブロックが設けられ、前記接続ブロックの中には動力チャンバが設けられ、前記接続ブロックの下端にはハンドルが回転できるように係合接続され、前記ハンドルの中には駆動溝が設けられ、前記駆動溝の下端壁には底溝が設けられ、前記駆動溝の右端壁には回し溝が設けられ、前記駆動溝の中には連動装置が設けられ、前記連動装置はＴ字型ロッドを含み、前記連動装置は前記接続ブロックを回転連動させることができ、前記連動装置の中には回し機構が設けられることを特徴とする複数の人に使われる手持ちファン。
【請求項２】
前記エア入り装置の中の前記動力機構はモータ軸を含み、前記モータ軸が前記エア入り口の下端壁と、前記傘歯車溝の上下端壁と、前記接続ブロックの上端面とが回転できるように係合接続され、前記モータ軸の上端は前記エア入りファンと固定的に接続され、前記モータ軸の中端にはモータ傘歯車が設けられ、前記動力チャンバの上端壁にはモータが設けられ、前記モータは前記モータ軸と伝動できるように接続され、前記モータの下端には貫通軸が伝動できるように接続され、前記貫通軸が前記動力チャンバの下端壁と回転できるように係合接続され、前記モータを動かして前記エア入りファンを回転連動させ、それによりエア入り口に空気を吸い込むことを特徴とする請求項１に記載の複数の人に使われる手持ちファン。
【請求項３】
前記冷却装置において前記回転機構が二つ設けられ、左側を例として説明し、前記回転機構は横軸を含み、前記横軸が前記傘歯車溝の左端壁および前記通風溝の右端壁と回転できるように係合接続され、前記横軸の右端には前記モータ傘歯車と噛み合う横軸傘歯車が設けられ、前記横軸の左端には接続ロッドが設けられ、前記接続ロッドが前記通風溝の上下端壁とスライドできるように係合接続され、前記凹ブロックスライド溝の中には凹ブロックがスライドできるように係合接続され、前記凹ブロックは前記接続ロッドと固定的に接続され、前記凹ブロックと前記凹ブロックスライド溝の右端壁との間には凹ブロックバネが接続され、前記凹ブロックの上端面には凹溝が設けられ、前記凹溝の中には触発ブロックがスライドできるように係合接続され、前記触発ブロックの下端と前記凹溝の下端壁との間には触発バネが接続され、前記触発ブロックの上端にはボタンが設けられ、前記触発ブロックの中端にはボタンカバーがスライドできるように係合接続され、前記ボタンカバーが前記頂部溝の前後端壁とスライドできるように係合接続され、前記ボタンカバーの右端面にはラックが設けられ、前記ラックが前記抜き穴とスライドできるように係合接続され、前記作業チャンバの上下端壁には垂直軸が回転できるように係合接続され、前記垂直軸の上端にはラックと噛み合える上歯車が設けられ、前記垂直軸の中端には下歯車が設けられ、前記垂直軸は下方に延びていて前記スイッチ溝に挿入されて前記スイッチ溝の上下端壁と回転できるように係合接続され、前記作業チャンバの下端壁には従動軸が前後に対称的に回転できるように係合接続され、前記従動軸の上端には前記下歯車と噛み合う従動歯車が設けられ、前記従動歯車が下方に伸びていて前記スイッチ溝に挿入されて前記スイッチ溝の上下端壁と回転できるように係合接続され、前記従動軸と前記垂直軸の下端にはバリア板が設けられ、前記バリア板は前記スイッチ溝を閉じることができ、前記ボタンを右に移動させ、それにより前記ラックを連動させて右に移動させ、前記従動軸と前記バリア板を回転させ、前記スイッチ溝を開けることを特徴とする請求項２に記載の複数の人に使われる手持ちファン。
【請求項４】
前記連動装置の中の前記回し機構は引掛りブロックを含み、前記引掛りブロックが前記貫通軸と固定的に接続され、前記引掛りブロックの下端には引掛り溝が設けられ、前記引掛り溝が前記Ｔ字型ロッドとスライドできるように係合接続され、前記Ｔ字型ロッドの下端が前記底溝とスライドできるように係合接続され、前記Ｔ字型ロッドの右端が前記回し溝とスライドできるように係合接続されることを特徴とする請求項２に記載の複数の人に使われる手持ちファン。
【手続補正２】
【補正対象書類名】明細書
【補正対象項目名】全文
【補正方法】変更
【補正の内容】
【発明の詳細な説明】
【技術分野】
【０００１】
本発明は小型家電分野を取り上げて、具体的には複数の人に使われる手持ちファンである。
【背景技術】
【０００２】
現在、暑い夏の日に出かけるとき、人々はしばしば自分自身の温度を下げる事ために小さなファンを携帯する必要があり、だだし、伝統的な小型ファンは左右首振りができず、一人しか使えなく、友達が一緒に外出するときは、みんなファンを必要とし、その結果、使用することは非常に不便であり、そして資源の浪費を引き起こしやすい。
【先行技術文献】
【特許文献】
【０００３】
【特許文献１】中国特許出願公開第１０２７３４１９１号明細書
【発明の概要】
【発明が解決しようとする課題】
【０００４】
本発明は複数の人に使われる手持ちファンを提供し、従来技術における上記欠点を解消することを目的とする。
【課題を解決するための手段】
【０００５】
本発明の複数の人に使われる手持ちファンは、ファン外殻を含み、前記ファン外殻の中には傘歯車溝が設けられ、前記傘歯車溝の上端には外部と連通するエア入り口が設けられ、前記エア入り口の中にはエア入り装置が設けられ、前記エア入り装置はエア入りファンを含み、前記エア入り装置はエア入り口に空気を吸い込むことができ、前記エア入り装置の中には動力機構が設けられ、前記傘歯車溝の左右両端には通風溝が対称的に設けられ、前記通風溝の中には冷却装置が設けられ、前記冷却装置は排気ファンを含み、前記冷却装置が送風して人々の温度を下げ、前記冷却装置が回転機構を含み、前記通風溝の上端壁には凹ブロックスライド溝が設けられ、前記凹ブロックスライド溝の上端壁には外部と連通する頂部溝が設けられ、前記頂部溝において前記エア入り口に近接する端壁には抜き穴が設けられ、前記抜き穴においてエア入り口に近接する端壁には作業チャンバが設けられ、前記作業チャンバの下端にはスイッチ溝が設けられ、前記スイッチ溝の左右の両端がそれぞれ前記エア入り口と前記通風溝と相通し、前記ファン外殻の下端には接続ブロックが設けられ、前記接続ブロックの中には動力チャンバが設けられ、前記接続ブロックの下端にはハンドルが回転できるように係合接続され、前記ハンドルの中には駆動溝が設けられ、前記駆動溝の下端壁には底溝が設けられ、前記駆動溝の右端壁には回し溝が設けられ、前記駆動溝の中には連動装置が設けられ、前記連動装置はＴ字型ロッドを含み、前記連動装置は前記接続ブロックを回転連動させることができ、前記連動装置の中には回し機構が設けられる。
【０００６】
好ましくは、前記エア入り装置の中の前記動力機構はモータ軸を含み、前記モータ軸が前記エア入り口の下端壁と、前記傘歯車溝の上下端壁と、前記接続ブロックの上端面とが回転できるように係合接続され、前記モータ軸の上端は前記エア入りファンと固定的に接続され、前記モータ軸の中端にはモータ傘歯車が設けられ、前記動力チャンバの上端壁にはモータが設けられ、前記モータは前記モータ軸と伝動できるように接続され、前記モータの下端には貫通軸が伝動できるように接続され、前記貫通軸が前記動力チャンバの下端壁と回転できるように係合接続され、前記モータを動かして前記エア入りファンを回転連動させ、それによりエア入り口に空気を吸い込む。
【０００７】
好ましくは、前記冷却装置において前記回転機構が二つ設けられ、左側を例として説明し、前記回転機構は横軸を含み、前記横軸が前記傘歯車溝の左端壁および前記通風溝の右端壁と回転できるように係合接続され、前記横軸の右端には前記モータ傘歯車と噛み合う横軸傘歯車が設けられ、前記横軸の左端には接続ロッドが設けられ、前記接続ロッドが前記通風溝の上下端壁とスライドできるように係合接続され、前記凹ブロックスライド溝の中には凹ブロックがスライドできるように係合接続され、前記凹ブロックは前記接続ロッドと固定的に接続され、前記凹ブロックと前記凹ブロックスライド溝の右端壁との間には凹ブロックバネが接続され、前記凹ブロックの上端面には凹溝が設けられ、前記凹溝の中には触発ブロックがスライドできるように係合接続され、前記触発ブロックの下端と前記凹溝の下端壁との間には触発バネが接続され、前記触発ブロックの上端にはボタンが設けられ、前記触発ブロックの中端にはボタンカバーがスライドできるように係合接続され、前記ボタンカバーが前記頂部溝の前後端壁とスライドできるように係合接続され、前記ボタンカバーの右端面にはラックが設けられ、前記ラックが前記抜き穴とスライドできるように係合接続され、前記作業チャンバの上下端壁には垂直軸が回転できるように係合接続され、前記垂直軸の上端にはラックと噛み合える上歯車が設けられ、前記垂直軸の中端には下歯車が設けられ、前記垂直軸は下方に延びていて前記スイッチ溝に挿入されて前記スイッチ溝の上下端壁と回転できるように係合接続され、前記作業チャンバの下端壁には従動軸が前後に対称的に回転できるように係合接続され、前記従動軸の上端には前記下歯車と噛み合う従動歯車が設けられ、前記従動歯車が下方に伸びていて前記スイッチ溝に挿入されて前記スイッチ溝の上下端壁と回転できるように係合接続され、前記従動軸と前記垂直軸の下端にはバリア板が設けられ、前記バリア板は前記スイッチ溝を閉じることができ、前記ボタンを右に移動させ、それにより前記ラックを連動させて右に移動させ、前記従動軸と前記バリア板を回転させ、前記スイッチ溝を開ける。
【０００８】
好ましくは、前記連動装置の中の前記回し機構は引掛りブロックを含み、前記引掛りブロックが前記貫通軸と固定的に接続され、前記引掛りブロックの下端には引掛り溝が設けられ、前記引掛り溝が前記Ｔ字型ロッドとスライドできるように係合接続され、前記Ｔ字型ロッドの下端が前記底溝とスライドできるように係合接続され、前記Ｔ字型ロッドの右端が前記回し溝とスライドできるように係合接続される。
【発明の効果】
【０００９】
本発明の有益な効果は：本発明は、伝統的な手持ち式の小型ファンが一人でしか使用できないという欠点を克服し、二つのファンの回転と装置全体の回転により、多くの人が同時に冷たい風を楽しめるようにし、同時に、本発明は風を吸い込むことができ、風力も増加し、本発明が機械の伝動協力により、エラーの可能性を減少する。
【図面の簡単な説明】
【００１０】
便利しやすいために、本発明は以下の具体的な実施例及び付図により詳しく説明する。
【００１１】
【図１】図１は本発明の複数の人に使われる手持ちファンの正面構成模式図
【図２】図２は図１の「Ａ」の局部拡大構成模式図
【図３】図３は図１の「Ｂ−Ｂ」の断面模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書（任意の追加の請求項、要約および図面を含む）に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１〜３を合わせて本発明について詳しく説明します。説明を便利にさせるように、ここで下記の方位に規定します：下記の上下左右前後という方向は図１の自身の投影関係の上下左右前後の方向と一致します。
【００１５】
図１〜３を参照し、本発明の実施例：複数の人に使われる手持ちファンは、ファン外殻１００を含み、前記ファン外殻１００の中には傘歯車溝２６が設けられ、前記傘歯車溝２６の上端には外部と連通するエア入り口２２が設けられ、前記エア入り口２２の中にはエア入り装置１０１が設けられ、前記エア入り装置１０１はエア入りファン２１を含み、前記エア入り装置１０１はエア入り口２２に空気を吸い込むことができ、前記エア入り装置１０１の中には動力機構１０２が設けられ、前記傘歯車溝２６の左右両端には通風溝５９が対称的に設けられ、前記通風溝５９の中には冷却装置１０３が設けられ、前記冷却装置１０３は排気ファン２３を含み、前記冷却装置１０３が送風して人々の温度を下げ、前記冷却装置１０３が回転機構１０４を含み、前記通風溝５９の上端壁には凹ブロックスライド溝５１が設けられ、前記凹ブロックスライド溝５１の上端壁には外部と連通する頂部溝６０が設けられ、前記頂部溝６０において前記エア入り口２２に近接する端壁には抜き穴４８が設けられ、前記抜き穴４８においてエア入り口２２に近接する端壁には作業チャンバ５３が設けられ、前記作業チャンバ５３の下端にはスイッチ溝５５が設けられ、前記スイッチ溝５５の左右の両端がそれぞれ前記エア入り口２２と前記通風溝５９と相通し、前記ファン外殻１００の下端には接続ブロック２８が設けられ、前記接続ブロック２８の中には動力チャンバ２９が設けられ、前記接続ブロック２８の下端にはハンドル３４が回転できるように係合接続され、前記ハンドル３４の中には駆動溝３２が設けられ、前記駆動溝３２の下端壁には底溝３５が設けられ、前記駆動溝３２の右端壁には回し溝３２が設けられ、前記駆動溝３２の中には連動装置１０６が設けられ、前記連動装置１０６はＴ字型ロッド３３を含み、前記連動装置１０６は前記接続ブロック２８を回転連動させることができ、前記連動装置１０６の中には回し機構１０５が設けられる。
【００１６】
前記エア入り装置１０１の中の前記動力機構１０２はモータ軸２７を含み、前記モータ軸２７が前記エア入り口２２の下端壁と、前記傘歯車溝２６の上下端壁と、前記接続ブロック２８の上端面とが回転できるように係合接続され、前記モータ軸２７の上端は前記エア入りファン２１と固定的に接続され、前記モータ軸２７の中端にはモータ傘歯車４０が設けられ、前記動力チャンバ２９の上端壁にはモータ３０が設けられ、前記モータ３０は前記モータ軸２７と伝動できるように接続され、前記モータ３０の下端には貫通軸３８が伝動できるように接続され、前記貫通軸３８が前記動力チャンバ２９の下端壁と回転できるように係合接続され、前記モータ３０を動かして前記エア入りファン２１を回転連動させ、それによりエア入り口２２に空気を吸い込む。
【００１７】
前記冷却装置１０３において前記回転機構１０４が二つ設けられ、左側を例として説明し、前記回転機構１０４は横軸２５を含み、前記横軸２５が前記傘歯車溝２６の左端壁および前記通風溝５９の右端壁と回転できるように係合接続され、前記横軸２５の右端には前記モータ傘歯車４０と噛み合う横軸傘歯車３９が設けられ、前記横軸２５の左端には接続ロッド２４が設けられ、前記接続ロッド２４が前記通風溝５９の上下端壁とスライドできるように係合接続され、前記凹ブロックスライド溝５１の中には凹ブロック４１がスライドできるように係合接続され、前記凹ブロック４１は前記接続ロッド２４と固定的に接続され、前記凹ブロック４１と前記凹ブロックスライド溝５１の右端壁との間には凹ブロックバネ５２が接続され、前記凹ブロック４１の上端面には凹溝４２が設けられ、前記凹溝４２の中には触発ブロック４３がスライドできるように係合接続され、前記触発ブロック４３の下端と前記凹溝４２の下端壁との間には触発バネ４４が接続され、前記触発ブロック４３の上端にはボタン４５が設けられ、前記触発ブロック４３の中端にはボタンカバー４６がスライドできるように係合接続され、前記ボタンカバー４６が前記頂部溝６０の前後端壁とスライドできるように係合接続され、前記ボタンカバー４６の右端面にはラック４７が設けられ、前記ラック４７が前記抜き穴４８とスライドできるように係合接続され、前記作業チャンバ５３の上下端壁には垂直軸４９が回転できるように係合接続され、前記垂直軸４９の上端にはラック４７と噛み合える上歯車５０が設けられ、前記垂直軸４９の中端には下歯車５４が設けられ、前記垂直軸４９は下方に延びていて前記スイッチ溝５５に挿入されて前記スイッチ溝５５の上下端壁と回転できるように係合接続され、前記作業チャンバ５３の下端壁には従動軸５７が前後に対称的に回転できるように係合接続され、前記従動軸５７の上端には前記下歯車５４と噛み合う従動歯車５６が設けられ、前記従動歯車５６が下方に伸びていて前記スイッチ溝５５に挿入されて前記スイッチ溝５５の上下端壁と回転できるように係合接続され、前記従動軸５７と前記垂直軸４９の下端にはバリア板５８が設けられ、前記バリア板５８は前記スイッチ溝５５を閉じることができ、前記ボタン４５を右に移動させ、それにより前記ラック４７を連動させて右に移動させ、前記従動軸５７と前記バリア板５８を回転させ、前記スイッチ溝５５を開ける。
【００１８】
前記連動装置１０６の中の前記回し機構１０５は引掛りブロック３７を含み、前記引掛りブロック３７が前記貫通軸３８と固定的に接続され、前記引掛りブロック３７の下端には引掛り溝３６が設けられ、前記引掛り溝３６が前記Ｔ字型ロッド３３とスライドできるように係合接続され、前記Ｔ字型ロッド３３の下端が前記底溝３５とスライドできるように係合接続され、前記Ｔ字型ロッド３３の右端が前記回し溝３１とスライドできるように係合接続される。
【００１９】
使用する時、一人で使用する場合、一端のボタン４５を右に移動させ、それにより前記凹ブロック４１、触発ブロック４３、接続ロッド２４、ボタンカバー４６およびラック４７を連動させて右に移動させ、最も右端に移動すると、触発ブロック４３の左端は頂部溝６０に引っかかり、ラック４７は上歯車５０、垂直軸４９、下歯車５４、従動歯車５６、従動軸５７およびバリア板５８を回転連動させ、スイッチ溝５５を開け、このときモータ傘歯車４０は横軸傘歯車３９と噛み合ってモータ３０を動かしてモータ軸２７、モータ傘歯車４０およびエア入りファン２１を回転連動させ、それによりエア入り口２２に空気を吸い込み、モータ傘歯車４０は横軸傘歯車３９、横軸２５および排気ファン２３を回転連動させ、風を送る；何人かが一緒に使用する場合、反対側のボタン４５を右に移動させ、二つの回転機構１０４を開け、モータ３０を動かし、ハンドル３４を握り、二つの冷却装置１０３が同時に作動し、接続ブロック２８およびファン外殻１００はハンドル３４を中心に回転し、ファン装置をオフにする必要があるとき、ボタン４５を押すと、触発ブロック４３が頂部溝６０から離脱する。
【００２０】
本発明の有益な効果は：本発明は、伝統的な手持ち式の小型ファンが一人でしか使用できないという欠点を克服し、二つのファンの回転と装置全体の回転により、多くの人が同時に冷たい風を楽しめるようにし、同時に、本発明は風を吸い込むことができ、風力も増加し、本発明が機械の伝動協力により、エラーの可能性を減少する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。